(57)【要約】【課題】組立て性および分解性に優れ、かつ組立て環境を汚染したりデータの読み書きに悪影響を与えたりする虞れがない小型ディスクカートリッジのハウジングの組立て構造を提供する。【解決手段】ディスクカートリッジ１の上下シェル２，３の四隅部に、上下シェル２，３を挟持して互いに固定するクランプ位置と、上下シェル２，３の分離が可能なアンクランプ位置との間で旋回可能なクランプ部材１０を設ける。【選択図】          図２
2004164794.tif 000002
【特許請求の範囲】
【請求項１】
各々の主面が互いに対向するように配置された上下シェルによって構成された扁平なハウジング内に、情報記録ディスクを回転可能に収容してなるディスクカートリッジにおいて、
前記上下シェルのいずれか一方のシェルの主面の周縁に沿う複数箇所に、前記上下シェルを挟持して互いに固定するクランプ位置と、該上下シェルの分離が可能なアンクランプ位置との間で旋回可能なクランプ部材が軸支されていることを特徴とするディスクカートリッジ。
【請求項２】
前記上下シェルの主面が略四角形の形状を有し、前記クランプ部材が、前記上下シェルのいずれか一方のシェルの主面の四隅部にそれぞれ軸支されていることを特徴とする請求項１記載のディスクカートリッジ。
【請求項３】
前記上下シェルの主面の周縁に沿って、前記クランプ部材をそれぞれ収容するための複数の凹部が形成されていることを特徴とする請求項１または２記載のディスクカートリッジ。
【請求項４】
前記凹部に、前記クランプ部材をクランプ位置に係止する係止手段が設けられていることを特徴とする請求項３記載のディスクカートリッジ。
【発明の詳細な説明】
【０００１】
【発明の属する技術分野】
本発明は、上下シェルによって構成された扁平なハウジング内に、情報記録ディスクを収容してなる小型のディスクカートリッジに関し、特に上記ハウジングの組立て構造に関するものである。
【０００２】
【従来の技術】
従来より、デジタルカメラ等のモバイル機器においては、記録媒体として例えば特許文献１に記載されているような「ｃｌｉｋ！（登録商標）」と呼ばれる超小型の磁気ディスクカートリッジが使用されている。この磁気ディスクカートリッジ２１は、図４に概略的に示すように、幅５０ｍｍ、奥行き５５ｍｍ、厚さ１．９５ｍｍという寸法を有し、樹脂製のフレーム２２と、金属素材（厚さ０．２ｍｍのステンレス鋼板）からなる上下シェル２３，２４とによって構成されたハウジング内に、４０ＭＢの記憶容量を有する直径１．８インチ（４５．７ｍｍ）の磁気ディスクを回転可能に収容するとともに、上記ハウジングは、このカートリッジが装填されるドライブ装置が備えている磁気ヘッドを磁気ディスクの表面にアクセスさせるための開口２６と、この開口２６を開閉するロータリーシャッタ２７とを備えている。上下シェル２３，２４は、それらの側壁の縁部をつき合わせて１０箇所以上の部位Ｐでレーザー溶接されて組み立てられている。
【０００３】
また従来より、パーソナルコンピュータの記録媒体として３．５インチ（８９ｍｍ）のフロッピー（登録商標）ディスクを備えた磁気ディスクカートリッジ（図示は省略）が広く使用されているが、そのハウジングは、樹脂製の上下シェルが超音波溶着されて組み立てられている。
【０００４】
【特許文献１】米国特許第６２５６１６８号公報
【０００５】
【発明が解決しようとする課題】
しかしながら、上述のような従来のディスクカートリッジにおけるハウジングの組立て構造は、下記の３点で問題があった。
【０００６】
（１）  組立て作業上の問題点：
レーザー溶接機あるいは超音波溶着機のような高価な特殊機械を必要とするとともに、上下シェルをずれのないように精密に位置決めする必要がある。
【０００７】
（２）  塵埃発生の問題点：
溶接または溶着時にべーパーやスパッタ屑が発生し、この微細な屑が記録媒体上に付着して、データの読み書きに悪影響を及ぼす。また、組立てスペースが汚染される（組立てスペースはクラス１００〜１０００のクリーン度が必要）。
【０００８】
（３）  分解性上の問題点：
リサイクルまたは分別廃棄のための分解時に、溶接または溶着部分を破壊しなければならず、非常に手間がかかり、かつ分解により上下シェルともに破壊されてしまうので、上下シェルの再利用が不可能である。
【０００９】
そこで本発明は、上述した問題点を全て解決した上下シェルの組立て構造を提供することを目的とするものである。
【００１０】
【課題を解決するための手段】
本発明は、各々の主面が互いに対向するように配置された上下シェルによって構成された扁平なハウジング内に、情報記録ディスクを回転可能に収容してなるディスクカートリッジにおいて、
上記上下シェルのいずれか一方のシェルの主面の周縁に沿う複数箇所に、上下シェルを挟持して互いに固定するクランプ位置と、上下シェルの分離が可能なアンクランプ位置との間で旋回可能なクランプ部材が軸支されていることを特徴とするものである。
【００１１】
本発明の一つの態様によれば、上記上下シェルの主面が略四角形の形状を有し、上記クランプ部材が、上記上下シェルのいずれか一方のシェルの主面の四隅部にそれぞれ軸支される。
【００１２】
また、上記上下シェルの主面の周縁に沿って、上記クランプ部材をそれぞれ収容するための複数の凹部が形成されていることが好ましい。これら凹部には、
上記クランプ部材をクランプ位置に係止するための係止手段、例えば突起または窪みが設けられていることが好ましく、上記係止手段が突起の場合には、この突起が係入し得る孔または窪みがクランプ部材に形成され、また上記係止手段が窪みの場合には、この窪みに係入し得る突起がクランプ部材に形成される。
【００１３】
【発明の効果】
本発明によるディスクカートリッジにおいては、上下シェルのいずれか一方のシェルの主面の周縁に沿う複数箇所に旋回可能に軸支されたクランプ部材により、上下シェルが挟持されて互いに固定されていることにより、組立てに際しては、複数のクランプ部材をアンクランプ位置に保った状態で上下シェルを組み合わせた後、複数のクランプ部材をクランプ位置まで例えば９０度旋回させるだけで組み立てることができるので、レーザー溶接機のような高価な特殊機械を必要とせずにカートリッジを極めて容易かつ精度良く組み立てることができ、また、組立て環境を汚染しかつデータの読み書きに悪影響を与える虞れがあるべーパーやスパッタ屑が組み立て時に発生することもなく、さらに、分別廃棄またはリサイクル時の分解に際しては、上下シェルを固定している複数のクランプ部材をアンクランプ位置に旋回させるだけで容易に分解することができ、上下シェルの再利用も可能である等の数々の利点がある。
【００１４】
また、上記上下シェルの主面が略四角形の形状を有している場合には、その四隅部は、情報記録ディスクの回転領域に関してデッドスペースになっているため、クランプ部材を容易に設けることができるから、本発明の実施に特に適した構成であるが、本発明はこれに限定されるものではない。
【００１５】
さらに、上下シェルの主面の周縁に沿って、上記クランプ部材を収容するための凹部が形成されている場合には、上下シェルを挟持してクランプしたクランプ部材が上下シェルの主面の表面から突出しないようにすることができるから、クランプ部材の存在がディスクカートリッジのローディング・アンローディング動作に支障を来たす虞れを回避することができる。
【００１６】
【発明の実施の形態】
以下、本発明の実施の形態について、図面を参照して詳細に説明する。
【００１７】
図１（ａ），（ｂ）は、本発明によるディスクカートリッジの実施の形態における上下シェルが、クランプ位置にあるクランプ部材により互いに固定された状態を概略的に示す平面図および底面図、図２（ａ），（ｂ）は、上記クランプ部材がアンクランプ位置にある状態を概略的に示す平面図および底面図である。また、
図３（ａ）はクランプ部材の斜視図、図３（ｂ），（ｃ）はクランプ部材がそれぞれクランプ位置およびアンクランプ位置にある状態を示す要部の拡大斜視図である。
【００１８】
図１および図２に示すディスクカートリッジ１は、略四角形の形状を有する
各々の主面２ａ，３ａが互いに対向するように配置された上シェル２および下シェル３によって構成された扁平なハウジング内に、磁気ディスク４を回転可能に収容しており、磁気ディスク４の中心部にはが固着されている。センタコア５は、下シェル３の主面３ａの中央に形成された円形の開口６から外部に臨んでいる。
【００１９】
上下シェル２，３の主面２ａ，３ａの一辺の近傍には、ドライブ装置の磁気ヘッドをアクセスさせるための短冊状の開口７が形成されているとともに、この開口７を開閉するための窓８ａを備えたスライド式シャッタ８が設けられている。
【００２０】
上下シェル２，３は、それらの主面２ａ，３ａの四隅部において、図３（ａ）に示すような構成を有するクランプ部材１０により互いに挟持される態様で固定されている。このクランプ部材１０は、弾性を有する金属薄板を折り曲げて一体に形成されたクランプ部１１と軸受部１５とからなり、クランプ部１１は、上シェル２の主面２ａに上方から圧接される上板部１２と、下シェル３の主面３ａに下方から圧接される下板部１３と、上板部１２と下板部１３とを連結する側板部１４とによって構成されてコ字状の断面形状を有する。上板部１２および下板部１３の先端近傍には係止孔１２ａ，１３ａがそれぞれ形成されている。
【００２１】
クランプ部材１０の軸受部１５は、側板部１４の基端側縁部の途中から下板部１３と平行になるように内方へ折り曲げられた舌片１６と、下板部１３の延長部１７とによって構成され、上記舌片１６および延長部１７には、軸孔１６ａ，１７ａがそれぞれ形成されている。舌片１６および延長部１７は、図３（ｂ），（ｃ）に示すように、シェル３の四隅部にこれを上下から挟むように取り付けられ、軸孔１６ａ，１７ａに挿通された軸１８を介して、クランプ部材１０が下シェル３に旋回可能に軸支されている。
【００２２】
なお、クランプ部材１０の軸支構造を明らかにするために、図３（ｂ），（ｃ）においては、上シェル２の四隅部が切り欠かれて、クランプ部材１０の軸受部１５の舌片１６を露出させ、クランプ部材１０が軸１８の周りで旋回し得ることを示しているが、上シェル２の四隅部は必ずしもを切り欠く必要はなく、上シェル２と下シェル３との間に、軸受部１５の舌片１６が軸１８の周りで旋回できる空間が形成されていればよい。
【００２３】
また、上シェル２および下シェル３の四隅部には、クランプ位置にあるクランプ部材１０が主面２ａ，３ａおよび側壁面２ｂ，３ｂから突出しないように、クランプ部材１０を収容する凹部２ｃ，３ｃが主面２ａ，３ａから側壁面２ｂ，３ｂにそれぞれ跨るように形成されている。そして、の凹部２ｃ，３ｃの主面２ａ，３ａ側には、クランプ部材１０の係止孔１２ａ，１３ａにそれぞれ係入して、クランプ部材１０をクランプ位置に係止し得る係止突起１９，２０がそれぞれ突設されている。
【００２４】
以上の説明で明らかなように、本実施の形態によるディスクカートリッジ１においては、下シェル３の主面３ａの四隅部にそれぞれ旋回可能に軸支されたクランプ部材１０により、上下シェル２，３が挟持されて互いに固定されていることにより、組立てに際しては、４個のクランプ部材１０を図２（ａ），（ｂ）および図３（ｃ）に示すアンクランプ位置に保った状態で上下シェル２，３を組み合わせた後、４個のクランプ部材１０をクランプ位置まで略９０度旋回させるだけで組み立てることができるので、レーザー溶接機のような高価な特殊機械を必要とせずにディスクカートリッジ１を極めて容易かつ精度良く組み立てることができ、また、組立て環境を汚染しかつデータの読み書きに悪影響を与える虞れがあるべーパーやスパッタ屑が組み立て時に発生することもなく、さらに、分別廃棄またはリサイクル時の分解に際しては、上下シェル２，３を固定している４個のクランプ部材１０をアンクランプ位置に旋回させるだけで容易に分解することができ、上下シェル２，３の再利用も可能である等の数々の利点がある。
【００２５】
また、上下シェル２，３の主面２ａ，３ａが略四角形の形状を有しているので、その四隅部は、磁気ディスク４の回転領域に関してデッドスペースになっているため、ここにクランプ部材１０を容易に設けることができる
さらに、上下シェル２，３の主面２ａ，３ａの四隅部に、クランプ部材１０を収容するための凹部２ｃが形成されていることにより、上下シェル２，３を挟持してクランプしたクランプ部材１０が上下シェル２，３の表面から突出しないようにすることができるから、クランプ部材１０の存在がディスクカートリッジ１のローディング・アンローディング動作に支障を来たす虞れを回避することができる。
【００２６】
なお、本実施の形態においては、クランプ部材１０が下シェル３に軸支されているが、上シェル２に軸支された構成とすることもできる。また、クランプ部材１０をクランプ位置に係止するための手段として、上下シェル２，３側に係止突起１９，２０が、クランプ部材１０側に係止孔１２ａ，１３ａがそれぞれ設けられているが、これとは反対に、クランプ部材１０側に係止突起を設け、上下シェル２，３側に係止窪みを設けてもよい。
【図面の簡単な説明】
【図１】図１（ａ），（ｂ）は、本発明によるディスクカートリッジの実施の形態における上下シェルが、クランプ位置にあるクランプ部材により互いに固定された状態を概略的に示す平面図および底面図
【図２】図２（ａ），（ｂ）は、クランプ部材がアンクランプ位置にある状態を概略的に示す平面図および底面図
【図３】図３（ａ）はクランプ部材の斜視図、図３（ｂ），（ｃ）はクランプ部材がそれぞれクランプ位置およびアンクランプ位置にある状態を示す要部の拡大斜視図
【図４】従来のディスクカートリッジの概略的斜視図
【符号の説明】
１    ディスクカートリッジ
２    上シェル
２ｃ，３ｃ    凹部
３    下シェル
４    磁気ディスク
１０    クランプ部材
１１    クランプ部材のクランプ部
１２ａ，１３ａ    係止孔
１５    クランプ部材の軸受部
１８    軸
１９，２０    係止突起
【図１】
2004164794.tif 000003
【図２】
2004164794.tif 000004
【図３】
2004164794.tif 000005
【図４】
2004164794.tif 000006